(57)【要約】【課題】固定用ネジのサイズを小さくすることなく外形寸法を小さくした信頼性の高いスイッチ装置を提供する。【解決手段】操作部３の上端が押下されると、摺動部６は下方向に摺動して、可動接点８が常閉固定接点５から開離して常開固定接点４に当接し、操作部３への押下力を取り除くと、摺動部６はコイルばね９のばね力によって上方向に摺動すると共に、可動接点８が常開固定接点４から開離し、常閉固定接点５に当接するスイッチ装置で、ケース１の側面は、ボス２１ａ，２１ｂの周辺に矩形状の凹部２４を形成しており（逃がし形状）、ケース１を構造物の取付面に取り付けるときに、凹部２４は取付面に当接しない。【選択図】        図１
2004206976.tif 000002
【特許請求の範囲】
【請求項１】
外郭を形成するケースと、外部からの操作によって前記ケース内を摺動自在に移動する摺動部と、前記摺動部に取着した可動接点と、前記ケース内に収容されて前記可動接点と接離する固定接点とを備え、前記ケースは、ケースを取り付ける構造物に設けられた孔部に挿入される突起と、構造物に固定するためのネジを挿通させるネジ孔と、前記突起が設けられた面に形成されて構造物が当接する当接部と、前記当接部と突起との間に形成される凹部とを備えることを特徴とするスイッチ装置。
【発明の詳細な説明】
【０００１】
【発明の属する技術分野】
本発明は、スイッチ装置に関するものである。
【０００２】
【従来の技術】
スイッチ装置の第１の従来例として図６〜図９に示すものがある。図６は側面図、図７は正面図、図８は上面図、図９は側面断面図を示している。この第１の従来例は、函体に形成された樹脂のケース１０１の内部に接点機構を収容し、下面にコモン端子１０２ａ、常開端子１０２ｂ、常閉端子１０２ｃを３つ並んで形成し、上面には接点機構の接点状態を切り換えるための操作部１０３を備える。
【０００３】
操作部１０３は棒状に形成されて、ケース１０１の上面に挿通し、周縁部をケース１０１に取着したカバー１２３によって、その上端を露出するように覆われている。
【０００４】
ケース１０１内部には、常開固定接点１０４、常閉固定接点１０５、可動片１０６、可動接点１０７、支持片１０８、ヒンジレバー１０９、コイルばね１１０が収容されており、反転方式の接点機構を構成している。常開固定接点１０４及び常閉固定接点１０５は上下方向に対向配置されて、長尺状に形成された可動片１０６の先端部に設けられた可動接点１０７が常開固定接点１０４と常閉固定接点１０５との間に位置するように、可動片１０６の基端部をケース１０１の底面上に立設した支持片１０８に取着している。常開固定接点１０４は常開端子１０２ｂに接続し、常閉固定接点１０５は常閉端子１０２ｃに接続して、可動接点１０７は可動片１０６を介してコモン端子１０２ａに接続している。
【０００５】
ヒンジレバー１０９は長尺状に形成されてその基端部をケース１０１に支持され、基端部を枢支点として上下方向に回動自在に構成され、ヒンジレバー１０９の先端部と可動片１０６とはコイルばね１１０で接続される。そしてコイルばね１１０のばね力によって、ヒンジレバー１０９の先端部は操作部１０３の下端に当接した状態に支持され、操作部１０３が押下されていない場合、可動片１０６は可動接点１０７が常閉固定接点１０５に当接する状態に支持されており、常閉端子１０２ｃ−コモン端子１０２ａ間が導通する。
【０００６】
次に、上記従来のスイッチ装置の動作について説明する。操作部１０３の上端が押下されると、操作部１０３の下端がヒンジレバー１０９の先端部を押圧し、ヒンジレバー１０９はコイルばね１１０のばね力に抗しながら反時計回りに回動する。すると、コイルばね１１０が変形することで可動片１０６が反転動作を行い、可動片１０６の先端部に設けられた可動接点１０７が常閉固定接点１０５から開離し、常開固定接点１０４に当接して、常開端子１０２ｂ−コモン端子１０２ａ間が導通する。
【０００７】
そして、操作部１０３への押下力を取り除くと、ヒンジレバー１０９はコイルばね１１０のばね力によって時計回りに回動し、操作部１０３は上方向に移動すると共に、可動片１０６が逆方向へ反転動作を行い、可動接点１０７が常開固定接点１０４から開離し、常閉固定接点１０５に当接して、常閉端子１０２ｃ−コモン端子１０２ａ間が導通している状態に戻る。
【０００８】
次に、接点機構を摺動接点方式とした第２の従来例の側面断面図を図１０に示す。この第２の従来例は、函体に形成された樹脂のケース２０１の内部に接点機構を収容し、下面にコモン端子２０２ａ、常開端子２０２ｂ、常閉端子２０２ｃを３つ並んで形成し、上面には接点機構の接点状態を切り換えるための操作部２０３を備える。操作部２０３は棒状に形成されて、ケース２０１の上面に挿通し、周縁部をケース２０１に取着したカバー２２３によって覆われている。
【０００９】
そしてアクチュエータ２２４が図示せぬ被検出体に押圧駆動されておらず、操作部２０３が押し込み操作されていないときには、可動接点２０７が常閉固定接点２０５に当接しており、常閉固定接点２０５、可動接点２０７、コイルばね２１０、及びコモン接点２０６を介して、常閉端子２０２ｃ−コモン端子２０２ａ間が導通する。
【００１０】
しかし、被検出体に押圧駆動されたアクチュエータ２２４が時計回り方向へ回転すると、このアクチュエータ２２４はカバー２２３を介して摺動部２０８を下方へ向けて押し込むので、摺動部２０８が所定ストローク押し込み操作された時点で、可動接点２０７が常閉固定接点２０５から開離し、常開固定接点２０４に当接して、常開端子２０２ｂ−コモン端子２０２ａ間が導通する。
【００１１】
そして、操作部２０３への押し込み操作力を取り除くと、摺動部２０８はコイルばね２１０のばね力によって上方向に摺動すると共に、可動接点２０７が常開固定接点２０４から開離し、常閉固定接点２０５に当接して、常閉端子２０２ｃ−コモン端子２０２ａ間が導通している状態に戻る。（例えば、特許文献１参照。）
【００１２】
【特許文献１】
特開平７−６６６１号公報（３頁右欄第２２行〜４頁左欄第８行、図１）
【００１３】
【発明が解決しようとする課題】
このようなスイッチ装置は取り付け側部品等の構造物に取り付けられるものであって、上記第１の従来例に示されるスイッチ装置は、ケース１０１の両側面には円柱状の突起からなるボス１２１ａ，１２１ｂが各々形成され、ケース１０１の側面端部には取り付け孔１２２が穿設されており、構造物の取付面に形成した孔部にボス１２１ａまたは１２１ｂを挿入して位置決めを行った後、取り付け孔１２２に固定用のネジ（図示無し）を挿通させて締め付けることで構造物に螺設される。
【００１４】
また、ケース１０１の取り付け孔１２２は接点機構との干渉を防止するため、接点機構の外側に設けられており、ケース１０１の外径形状が大きくなってしまう。その対策として、取り付け孔１２２の径を小さくすることで外形寸法を小さくする手段があるが、固定用ネジの径も小さくなるため、ネジ締め強度及び固定強度の低下や、ネジ締め作業性の悪化という問題が発生する。特に自動車関連用途では強度や作業性を考慮して、固定用ネジのサイズはＭ３以上としたいという要望が多い。
【００１５】
上記第２の従来例に示されるスイッチ装置はその接点機構に摺動接点方式を用いており、反転方式で必要な長尺状に形成された可動片及びヒンジレバーを省略できて、接点機構の小型化を図ることができる。しかし、ケース２０１の取り付け孔２２２を挿通する固定用ネジ締め付け時の圧縮力や、構造物の取付面に位置決め用の孔部を穿設した際に生じる抜きバリによって、ケース２０１の側面内側への変形が生じ、ケース２０１と接点機構とが干渉して動作異常が発生するという問題点がある。
【００１６】
本発明は、上記事由に鑑みてなされたものであり、その目的は、固定用ネジのサイズを小さくすることなく外形寸法を小さくした信頼性の高いスイッチ装置を提供することにある。
【００１７】
【課題を解決するための手段】
請求項１の発明は、外郭を形成するケースと、外部からの操作によって前記ケース内を摺動自在に移動する摺動部と、前記摺動部に取着した可動接点と、前記ケース内に収容されて前記可動接点と接離する固定接点とを備え、前記ケースは、ケースを取り付ける構造物に設けられた孔部に挿入される突起と、構造物に固定するためのネジを挿通させるネジ孔と、前記突起が設けられた面に形成されて構造物が当接する当接部と、前記当接部と突起との間に形成される凹部とを備えることを特徴とする。
【００１８】
【発明の実施の形態】
以下、本発明の実施の形態を図面に基づいて説明する。
【００１９】
本実施形態のスイッチ装置の構成は図１〜図４に示され、図１は側面図、図２は正面図、図３は上面図、図４は側面断面図を示している。この本実施形態のスイッチ装置は、函体に形成された樹脂のケース１の内部に接点機構を収容し、下面にコモン端子２ａ、常開端子２ｂ、常閉端子２ｃを３つ並んで形成し、上面には接点機構の接点状態を切り換えるための操作部３を備える。
【００２０】
操作部３は棒状に形成されて、ケース１の上面に挿通し、周縁部をケース１に取着したカバー２３によって、その上端を露出するように覆われている。
【００２１】
ケース１内部には、常開固定接点４、常閉固定接点５、摺動部６、可動接点板７、可動接点８、コイルばね９が収容されており、摺動接点方式の接点機構を構成している。摺動部６は操作部３の下端に設けられて、操作部３の移動方向にケース１の内壁に沿って摺動し、その側面はケース１の内壁に摺動する摺動面６ａとなる。摺動部６から正面方向に向かって可動接点板７が取着されており、可動接点板７の先端には可動接点８が形成されている。そして摺動部６の下端とケース１の底面との間にはコイルばね９が配されており、コイルばね９の上端は可動接点板７に接続され、下端はコモン端子２ａに連続したコモン端子片２０ａに接続される。すなわちコモン端子２ａは、コモン端子片２０ａ、コイルばね９、可動接点板７を介して可動接点８に接続されている。
【００２２】
操作部３の押下操作によって上下方向に移動する可動接点８に対向して常開固定接点４及び常閉固定接点５が上下方向に並設されており、常開固定接点４は、操作部３が押下された時に下端側に所定ストローク移動した可動接点８が当接する位置に設けられ、常閉固定接点５は、操作部３が押下されていない時にケース１の上端側に位置する可動接点８が当接する位置に設けられており、常開端子２ｂは常開固定接点４に接続し、常閉端子２ｃはケース１の正面側の内壁に沿って常閉固定端子５に接続している。
【００２３】
次に、上記本実施形態のスイッチ装置の動作について説明する。コイルばね９は操作部３の押下方向とは反対方向にばね力を付勢しており、操作部３が押下されていない場合、摺動部６はケース１の上端側に係止しており、可動接点８が常閉固定接点５に当接して、常閉端子２ｃ−コモン端子２ａ間が導通する。
【００２４】
操作部３の上端が押下されると、摺動部６は下方向に摺動し、所定ストロークの押下操作が行われた時点で、可動接点８が常閉固定接点５から開離して常開固定接点４に当接し、常開端子２ｂ−コモン端子２ａ間が導通する。
【００２５】
そして、操作部３への押下力を取り除くと、摺動部６はコイルばね９のばね力によって上方向に摺動すると共に、可動接点８が常開固定接点４から開離し、常閉固定接点５に当接して、常閉端子２ｃ−コモン端子２ａ間が導通している状態に戻る。
【００２６】
本実施形態のスイッチ装置はその接点機構を摺動接点方式としており、第１の従来例で説明した反転方式と比較して長尺状に形成された可動片及びヒンジレバーを省略でき、接点機構の小型化を図っている。
【００２７】
このようなスイッチ装置は取り付け側部品等の構造物に取り付けられるものであって、ケース１の両側面には円柱状の突起からなるボス２１ａ，２１ｂが各々形成され、ケース１の側面端部には取り付け孔２２が穿設されており、構造物の取付面に形成した孔部にボス２１ａまたは２１ｂを挿入して位置決めを行った後、取り付け孔２２に固定用のネジ（図示無し）を挿通させて締め付けることで構造物に螺設される。
【００２８】
ここで、本実施形態では上記のように接点機構の小型化を図っているので、取り付け孔２２の径を小さくしなくてもスイッチ装置全体の外形寸法を小さくすることができ、例えば従来と同様に固定用ネジとしてＭ３のサイズのものを用いることができる。
【００２９】
ここで、図５は図１のＡ−Ａ断面図であって、ボス２１ａ，２１ｂ付近の断面図を示す。ケース１の側面では、ボス２１ａ，２１ｂの周辺に矩形状の凹部２４を形成しており（逃がし形状）、固定用ネジ締め付け時の圧縮力によるケース内側への変形が生じず、内部の接点機構とケース１とが干渉して動作異常となることを防ぐ。特に本実施形態においては、凹部２４は摺動部６の可動範囲に対向しており、摺動部６とケース１の内面との干渉を防いで摺動動作の信頼性、安定性を向上させている。
【００３０】
さらに凹部２４はボス２１ａ，２１ｂの周辺に形成されており、ケース１を構造物の取付面に取り付けるときに凹部２４は取付面に当接しない。したがって、金属等の構造物の取付面にボス２１ａまたはボス２１ｂを挿入する孔部を穿設した際に孔部の周縁に生じた抜きバリが、ケース１の側面を圧縮、変形させることを防ぐことができる。
【００３１】
【発明の効果】
請求項１の発明は、外郭を形成するケースと、外部からの操作によって前記ケース内を摺動自在に移動する摺動部と、前記摺動部に取着した可動接点と、前記ケース内に収容されて前記可動接点と接離する固定接点とを備え、前記ケースは、ケースを取り付ける構造物に設けられた孔部に挿入される突起と、構造物に固定するためのネジを挿通させるネジ孔と、前記突起が設けられた面に形成されて構造物が当接する当接部と、前記当接部と突起との間に形成される凹部とを備えるので、接点機構の小型化を図ることで固定用ネジのサイズを小さくすることなく外形寸法を小さくできる。さらにケースに形成した凹部では固定用ネジで締め付けた時に圧縮力による内側への変形が生じず、ケースと接点機構とが干渉して動作異常となることを防ぐことができると共に、凹部は位置決め用の突起の周辺に形成されているので、構造物の取付面に位置決め用の孔部を穿設した際に生じる抜きバリが、構造物の取付面に当接するケース面を圧縮、変形させることも防ぐことができ、信頼性を向上させることができるという効果がある。
【図面の簡単な説明】
【図１】本発明の実施形態１を示す側面図である。
【図２】同上を示す正面図である。
【図３】同上を示す上面図である。
【図４】同上を示す側面断面図である。
【図５】図１のＡ−Ａ断面図である。
【図６】第１の従来例を示す側面図である。
【図７】同上を示す正面図である。
【図８】同上を示す上面図である。
【図９】同上を示す側面断面図である。
【図１０】第２の従来例を示す側面断面図である。
【符号の説明】
１    ケース
２ａ  コモン端子
２ｂ  常開端子
２ｃ  常閉端子
３    操作部
４    常開固定接点
５    常閉固定接点
６    摺動部
７    可動接点板
８    可動接点
９    コイルばね
【図１】
2004206976.tif 000003
【図２】
2004206976.tif 000004
【図３】
2004206976.tif 000005
【図４】
2004206976.tif 000006
【図５】
2004206976.tif 000007
【図６】
2004206976.tif 000008
【図７】
2004206976.tif 000009
【図８】
2004206976.tif 000010
【図９】
2004206976.tif 000011
【図１０】
2004206976.tif 000012